(57)【特許請求の範囲】
【請求項１】
ロアーカバーとコネクタフレームとを備えた電気接続箱に用いられて、
前記ロアーカバーに設けられた開口部に前記コネクタフレームをスライド移動によって結合する構造であって、
前記ロアーカバーの前記開口部の内壁にスライド方向に沿って設けられた第１ガイド溝と、この第１ガイド溝を形成するスライド方向と交差する方向に同等の長さを有した第１ガイド壁及び第２ガイド壁と、前記第１ガイド溝に並設される第２ガイド溝を前記第２ガイド壁との間に形成すると共に前記第１ガイド壁及び前記第２ガイド壁よりスライド方向と交差する方向に短い第３ガイド壁と、
前記コネクタフレームに設けられ、前記第１ガイド溝にスライド結合される第１スライド壁と、前記第２ガイド溝にスライド結合される第２スライド壁と、前記第２スライド壁の前記第１スライド壁が形成される側とは反対側の外周面に設けられ、結合時に前記第３ガイド壁の前記第１ガイド壁及び第２ガイド壁より短く形成された領域に位置する位置決めリブとを備え、
前記位置決めリブは、前記第１スライド壁が前記第１ガイド壁の外側の位置に、前記第２スライド壁が前記第１ガイド溝に誤挿入されたときに前記第２ガイド壁に突き当たることを特徴とする誤結合防止構造。
【請求項２】
請求項１記載の誤結合防止構造であって、
前記ロアーカバーの前記第３ガイド壁の外周面に設けられ、前記第１スライド壁が前記第２ガイド溝に挿入され、前記第２スライド壁が前記第３ガイド壁の外側の位置に誤挿入されたときに前記第２スライド壁に突き当たるストッパー壁を有することを特徴とする誤結合防止構造。
【発明の詳細な説明】
【０００１】
【発明の属する技術分野】
本発明は、ロアーカバーの開口部にコネクタフレームをスライド結合する際の誤結合を防止する誤結合防止構造に関する。
【０００２】
【従来の技術】
例えば電気接続箱にあって、ロアーカバーの開口部の内壁にガイド溝及びガイド壁を設け、これに対向するコネクタフレームの面にスライド壁及びスライド溝を設け、ロアーカバーの開口部にコネクタフレームをスライド結合することでコネクタフレームを装着されるものが提案されている。このようなスライド結合する従来の構造においては、作業者がロアーカバーのガイド溝にコネクタフレームのスライド壁を位置合わせして装着する必要がある。
【０００３】
【発明が解決しようとする課題】
しかしながら、コネクタフレームの組付け作業に際して、ガイド溝とスライド壁との位置合わせが正確に行われないと、異なるガイド溝にスライド壁が挿入された状態でスライド結合される場合があり、誤結合となる。
【０００４】
そこで、本発明は、前記した課題を解決すべくなされたものであり、ロアーカバーの開口部にコネクタフレームをスライド結合する際の誤結合を防止できる誤結合防止構造を提供することを目的とする。
【０００５】
【課題を解決するための手段】
請求項１の発明は、ロアーカバーとコネクタフレームとを備えた電気接続箱に用いられて、前記ロアーカバーに設けられた開口部に前記コネクタフレームをスライド移動によって結合する構造であって、前記ロアーカバーの前記開口部の内壁にスライド方向に沿って設けられた第１ガイド溝と、この第１ガイド溝を形成するスライド方向と交差する方向に同等の長さを有した第１ガイド壁及び第２ガイド壁と、前記第１ガイド溝に並設される第２ガイド溝を前記第２ガイド壁との間に形成すると共に前記第１ガイド壁及び前記第２ガイド壁よりスライド方向と交差する方向に短い第３ガイド壁と、前記コネクタフレームに設けられ、前記第１ガイド溝にスライド結合される第１スライド壁と、前記第２ガイド溝にスライド結合される第２スライド壁と、前記第２スライド壁の前記第１スライド壁が形成される側とは反対側の外周面に設けられ、結合時に前記第３ガイド壁の前記第１ガイド壁及び第２ガイド壁より短く形成された領域に位置する位置決めリブとを備え、前記位置決めリブは、前記第１スライド壁が前記第１ガイド壁の外側の位置に、前記第２スライド壁が前記第１ガイド溝に誤挿入されたときに前記第２ガイド壁に突き当たることを特徴とする。
【０００６】
この誤結合防止構造では、コネクタフレームの第１スライド壁がロアーカバーの第１ガイド溝に、第２スライド壁が第２ガイド溝に挿入されたときに位置決めリブが第３ガイド壁に突き当たらずにコネクタフレームのスライド移動が許容され、又、コネクタフレームの第１スライド壁が第１ガイド壁の外側の位置に、第２スライド壁が第１ガイド溝に誤挿入されたときには位置決めリブが第２ガイド壁に突き当たりコネクタフレームのスライド移動が阻止される。
【０００７】
請求項２の発明は、請求項１記載の誤結合防止構造であって、前記ロアーカバーの前記第３ガイド壁の外周面に設けられ、前記第１スライド壁が前記第２ガイド溝に挿入され、前記第２スライド壁が前記第３ガイド壁の外側の位置に誤挿入されたときに前記第２スライド壁に突き当たるストッパー壁を有することを特徴とする。
【０００８】
この誤結合防止構造では、請求項１の発明の作用に加え、コネクタフレームの第１スライド壁が第２ガイド溝に挿入され、第２スライド壁が第３ガイド壁の外側の位置に誤挿入されたときには第２スライド壁がストッパー壁を突き当たりコネクタフレームのスライド移動が阻止される。
【００１１】
【発明の実施の形態】
以下、本発明の一実施形態を図面に基づいて説明する。
【００１２】
図１〜図９は本発明の一実施形態を示し、図１は本発明の誤結合防止構造を適用した電気接続箱の分解斜視図、図２はアッパーカバーを取り除いた電気接続箱の平面図、図３はロアーカバーの平面図、図４（Ａ）は一方のコネクタフレームの平面図、図４（Ｂ）は他方のコネクタフレームの平面図、図５（Ａ）はロアーカバーの開口部及びコネクタフレームの概略断面図、図５（Ｂ）はコネクタフレームがロアーカバーの開口部に正規な挿入位置で挿入された状態を示す断面図、図６は接続箱本体の分解斜視図、図７はコネクタフレームをロアーカバーに装着する前の状態を示す断面図、図８はコネクタフレームの第１スライド壁が外れる方向に誤挿入される場合を示す断面図、図９はコネクタフレームの第２スライド壁が外れる方向に誤挿入される場合を示す断面図である。
【００１３】
図１及び図２において、電気接続箱Ａは、上部が開口１ａしたロアーカバー１と、このロアーカバー１内に収容される接続箱本体２及びリレーボックス３と、下部が開口４ａし、ロアーカバー１の開口１ａを閉鎖するアッパーカバー４と、ロアーカバー１の側面に形成された開口部１ｂを塞ぐようにロアーカバー１にスライド結合される２つのコネクタフレーム５、６とから主に構成されている。ロアーカバー１及びアッパーカバー４は合成樹脂製である。
【００１４】
接続箱本体２は、図６に示すように、上面に部品等が搭載される部品装着部１０ａを多数有するメインカバー１０と、このメインカバー１０の下方内側スペースの下面を覆うアンダーカバー１１と、これらの内部スペースに配置される中継端子１２と、同じく内部スペースに配置されるブスバー１３及び絶縁板１４で組付けられる配線板１５とから構成されている。リレーボックス３は、図１及び図２に示すように、その上面に部品装着部３ａが多数設けられており、この部品装着部３ａにはリレー等の部品が搭載される。
【００１５】
コネクタフレーム５、６は、例えばワイヤ−ワイヤコネクタ（図示せず）等が装着されるもので、上記したようにロアーカバー１にスライド結合され、この結合構造を詳しく説明する。図１〜図５及び図７に示すように、ロアーカバー１の開口部１ｂは縦方向に長く、上端側が開放されている。この開口部１ｂの両側の内壁には、図５に詳しく示すように、上下方向（スライド方向）に沿って第１ガイド溝２０と、この第１ガイド溝２０を形成する第１ガイド壁２１及び第２ガイド壁２２と、第１ガイド溝２０に並設される第２ガイド溝２３を第２ガイド壁２２との間に形成すると共に第１ガイド壁２１及び第２ガイド壁２２より短い第３ガイド壁２４とが設けられている。つまり、ロアーカバー１の内側から外側に向かって第１ガイド壁２１、第１ガイド溝２０、第２ガイド壁２２、第２ガイド溝２３及び第３ガイド壁２４の順に配置されている。又、第３ガイド壁２４の外周面には下記する第１スライド壁２６が第２ガイド溝２３に挿入され、下記する第２スライド壁２７が第３ガイド壁２４の外側の位置に誤挿入されたときに第２スライド壁２７に突き当たるストッパー壁２５が設けられている。
【００１６】
コネクタフレーム５、６の両側面には、第１ガイド溝２０にスライド結合される第１スライド壁２６と、第２ガイド溝２３にスライド結合される第２スライド壁２７と、第１スライド壁２６が第１ガイド溝２０に、第２スライド壁２７が第２ガイド溝２３にスライド結合されると第２ガイド壁２２がスライド結合する第１スライド溝２８とが設けられている。つまり、コネクタフレーム５、６の内側から外側に向かって第１スライド壁２６、第１スライド溝２８及び第２スライド壁２７の順に配置されている。又、第２スライド壁２７の外周面には、第１スライド壁２６が第１ガイド溝２０に、第２スライド壁２７が第２ガイド溝２３に挿入されたときに第３ガイド壁２４に突き当たらず、且つ、第１スライド壁２６が第１ガイド壁２１の外側の位置に、第２スライド壁２７が第１ガイド溝２０に誤挿入されたときに第２ガイド壁２２に突き当たる位置決めリブ２９が設けられている。
【００１７】
この位置決めリブ２９は第１スライド壁２６及び第２スライド壁２７よりも下方に延設され、この延設部分には、誤結合時に第１スライド壁２６及び第２スライド壁２７を正規な挿入位置へ案内するガイド面（図示せず）が設けられている。このガイド面（図示せず）は、第１スライド壁２６、第１スライド溝２８及び第２スライド壁２７がロアーカバー１側の第１ガイド壁２１、第１ガイド溝２０、第２ガイド壁２２、第２ガイド溝２３及び第３ガイド壁２４に接触する前にこれらに接触してコネクタフレーム５、６を正規な挿入位置に案内するものである。
【００１８】
次に、コネクタフレーム５、６のスライド結合作業について説明する。図７に示すように、作業者は、コネクタフレーム５、６の下端をロアーカバー１の開口部１ｂの上方に位置させ、コネクタフレーム５、６の第１スライド壁２６がロアーカバー１側の第１ガイド溝２０に、第２スライド壁２７が第２ガイド溝２３に挿入するべく位置合わせを行う。この位置合わせが適正であれば、図５（Ｂ）に示すように、位置決めリブ２９が第３ガイド壁２４に突き当たらず、又、第２スライド壁２７がストッパー壁２５に突き当たらずにコネクタフレーム５、６のスライド移動が許容される。
【００１９】
又、上記の位置合わせが不適正であり、コネクタフレーム５、６の第１スライド壁２６がロアーカバー１側の第１ガイド壁２０の外側の位置に、第２スライド壁２７が第１ガイド溝２０に誤挿入されたときには、図８に示すように、位置決めリブ２９が第２ガイド壁２２に突き当たりコネクタフレーム５、６のスライド移動が阻止されるため、第１スライド壁２６がロアーカバー１の内側に外れる方向の誤結合が防止される。このようにコネクタフレーム５、６のスライド移動ができないことによって作業者は、誤挿入であることを認識し挿入位置合わせをやり直す。
【００２０】
又、上記の位置合わせが不適正であり、コネクタフレーム５、６の第１スライド壁２６がロアーカバー１側の第２ガイド溝２３に挿入され、第２スライド壁２７が第３ガイド壁２４の外側の位置に誤挿入されたときには、図９に示すように、第２スライド壁２７がストッパー壁２５に突き当たりコネクタフレーム５、６のスライド移動が阻止されるため、第２スライド壁２７がロアーカバー１の外側に外れる方向の誤結合が防止される。上記と同様にコネクタフレーム５、６のスライド移動ができないことによって作業者は、誤挿入であることを認識し挿入位置合わせをやり直す。以上より、第１スライド壁２６がロアーカバー１の内側に外れる方向と第２スライド壁２７がロアーカバー１の外側に外れる方向との両方向の誤結合を防止できる。
【００２１】
又、この実施形態では、位置決めリブ２９のガイド面（図示せず）によって第１スライド壁２６及び第２スライド壁２７が正規な挿入位置側に案内されるため、誤挿入される可能性を低下させることができる。
【００２２】
【発明の効果】
以上説明したように、請求項１の発明によれば、ロアーカバーの開口部の内壁に第１ガイド壁、第１ガイド溝、第２ガイド壁、第２ガイド溝及び第３ガイド壁を設け、コネクタフレームに第１スライド壁、第１スライド溝及び第２スライド壁を設け、コネクタフレームの第１スライド壁がロアーカバーの第１ガイド壁の外側の位置に、第２スライド壁が前記第１ガイド溝に誤挿入されたときに第２ガイド壁に突き当たる位置決めリブを設けたので、コネクタフレームの第１スライド壁がロアーカバーの第１ガイド溝に、第２スライド壁が第２ガイド溝に挿入されたときに位置決めリブが第３ガイド壁に突き当たらずにコネクタフレームのスライド移動が許容され、又、コネクタフレームの第１スライド壁が第１ガイド壁の外側の位置に、第２スライド壁が第１ガイド溝に誤挿入されたときには位置決めリブが第２ガイド壁に突き当たりコネクタフレームのスライド移動が阻止されるため、第１スライド壁が外れる方向の誤結合が防止される。
【００２３】
請求項２の発明によれば、請求項１記載の誤結合防止構造であって、ロアーカバーの第３ガイド壁の外周面に第１スライド壁が第２ガイド溝に挿入され、第２スライド壁が第３ガイド壁の外側の位置に誤挿入されたときに第２スライド壁に突き当たるストッパー壁を設けたので、請求項１の発明の効果に加え、コネクタフレームの第１スライド壁が第２ガイド溝に挿入され、第２スライド壁が第３ガイド壁の外側の位置に誤挿入されたときには第２スライド壁がストッパー壁を突き当たりコネクタフレームのスライド移動が阻止されるため、第２スライド壁が外れる方向の誤結合が防止される。以上より、両方向の誤結合を防止できる。
【図面の簡単な説明】
【図１】本発明の一実施形態を示し、本発明の誤結合防止構造を適用した電気接続箱の分解斜視図である。
【図２】本発明の一実施形態を示し、アッパーカバーを取り除いた電気接続箱の平面図である。
【図３】本発明の一実施形態を示し、ロアーカバーの平面図である。
【図４】本発明の一実施形態を示し、（Ａ）は一方のコネクタフレームの平面図、（Ｂ）は他方のコネクタフレームの平面図である。
【図５】本発明の一実施形態を示し、（Ａ）はロアーカバーの開口部及びコネクタフレームの概略断面図、（Ｂ）はコネクタフレームがロアーカバーの開口部に正規な挿入位置で挿入された状態を示す断面図である。
【図６】本発明の一実施形態を示し、接続箱本体の分解斜視図である。
【図７】本発明の一実施形態を示し、コネクタフレームをロアーカバーに装着する前の状態を示す断面図である。
【図８】本発明の一実施形態を示し、コネクタフレームの第１スライド壁が外れる方向に誤挿入される場合を示す断面図である。
【図９】本発明の一実施形態を示し、コネクタフレームの第２スライド壁が外れる方向に誤挿入される場合を示す断面図である。
【符号の説明】
Ａ  電気接続箱
１  ロアーカバー
１ｂ  開口部
５、６  コネクタフレーム
２０  第１ガイド溝
２１  第１ガイド壁
２２  第２ガイド壁
２３  第２ガイド溝
２４  第３ガイド壁
２５  ストッパー壁
２６  第１スライド壁
２７  第２スライド壁
２８  第１スライド溝
２９  位置決めリブ
【図１】
0003737672.tif 000002
【図２】
0003737672.tif 000003
【図３】
0003737672.tif 000004
【図４】
0003737672.tif 000005
【図５】
0003737672.tif 000006
【図６】
0003737672.tif 000007
【図７】
0003737672.tif 000008
【図８】
0003737672.tif 000009
【図９】
0003737672.tif 000010